(57)【要約】【課題】プレゼンテーションの進行に合わせて生徒に視聴させるコンテンツの編集と再生を先生の講演コンセプトに沿って効率よく演出する。【解決手段】ＣＰＵ１３は、フロー図４２内における複数個の資料番号の図形Ｎが二重丸の図形ＳＹ２によりグループ化された場合に、当たり判定を利用して各資料番号の図形Ｎに該当する複数個の再生対象ファイルを同時に再生する。【選択図】図１
2015049885.tif 000002
【特許請求の範囲】
【請求項１】
プレゼンテーションする再生対象ファイルの各々を示す資料番号の図形、資料番号の図形間を繋ぐ矢印、及び前記再生対象ファイルのグループ化を示す図形で構成されるフロー図と、前記再生対象ファイルを示す手順一覧表とを含む編集画面を表示させる表示機能と、
前記編集画面における前記フロー図を作成する編集機能と、
前記編集機能で作成されたフロー図を、当たり判定を利用して編集した通りに再生対象ファイルを再生する再生機能と
を具備し、
ここに置いて、前記グループ化を示す図形には、グループ化された複数個の再生対象ファイルを一つずつ順番に再生する態様である単純系態様を示す図形と、同じく、グループ化された複数個の再生対象ファイルを同時に再生する態様である同時系態様を示す図形の二つがあり、
前記再生機能は、前記グループ化を示す図形に資料番号の図形が配置されているか否かを当たり判定によって判定をし、前記グループ化を示す図形が単純系態様の場合は、配置されていると判定された前記資料番号の図形に該当する複数個の再生対象ファイルを一つずつ順番に再生し、前記グループ化を示す図形が同時系態様の場合は、配置されていると判定された前記資料番号の図形に該当する複数個の再生対象ファイルを同時に再生する
ことを特徴とする先生支援プレゼンテーションシステム。
本システムは、プレゼンテーション装置、デェスプレイおよびスピーカで構成される。
【請求項２】
前記再生機能は、グループ化されていない複数個の再生対象ファイルの前記資料番号の図形が前記矢印により繋がれているか否かを当たり判定によって判定をし、繋がれていると判定された前記資料番号の図形に該当する再生対象ファイルを前記単純系態様で再生する
ことを特徴とする請求項１に記載の先生支援プレゼンテーションシステム。
【請求項３】
前記再生機能は、
前記フロー図内における前記グループ化を示す図形に配置された資料番号の図形に該当する複数個の再生対象ファイルの再生中に、当該グループ化を示す図形の近傍に再生態様の切り替えを指示するボタンを表示させ、同時系態様から単純系態様への切替を指示するボタンが押下されたときは、再生態様を同時系態様から単純系態様に切り替え、単純系態様から同時系態様への切替を指示するボタンが押下されたときは、再生態様を単純系態様から同時系態様に切り替える
ことを特徴とする請求項２に記載の先生支援プレゼンテーションシステム。
【請求項４】
前記再生機能は、
再生対象ファイルの再生中に、前記矢印が選択された場合に、再生対象ファイルの再生を停止し、選択された矢印の先が示す資料番号以降の資料番号に該当する再生対象ファイルを前記フロー図通りに再生する
ことを特徴とする請求項３に記載の先生支援プレゼンテーションシステム。
【請求項５】
前記再生機能は、
再生対象ファイルの再生中に、前記資料番号の図形が選択された場合に、再生対象ファイルの再生を一旦停止し、選択された資料番号の図形に該当する再生対象ファイルを優先して再生し、当該再生対象ファイルの再生を終えた後に、停止していた再生対象ファイルを再開する
ことを特徴とする請求項４に記載の先生支援プレゼンテーションシステム。
【請求項６】
コンピュータに、
プレゼンテーションする再生対象ファイルの各々を示す資料番号の図形、資料番号の図形間を繋ぐ矢印、及び再生対象ファイルのうちグループ化を示す図形で構成されるフロー図と、前記再生対象ファイルを示す手順一覧表とを含む編集画面を表示させる表示機能と、
前記編集画面におけるフロー図を作成する編集機能と、
前記編集機能で作成されたフロー図を、当たり判定を利用して編集した通りに再生対象ファイルを再生する再生機能と
を実現させるプログラムであって、
ここにおいて、前記グループ化を示す図形には、グループ化された複数個の再生対象ファイルを一つずつ順番に再生する態様である単純系態様を示す図形と、同じく、グループ化された複数個の再生対象ファイルを同時に再生する態様である同時系態様を示す図形の二つがあり、
前記再生機能は、前記グループ化を示す図形に資料番号の図形が配置されているか否かを当たり判定によって判定をし、前記グループ化を示す図形が単純系態様の場合は、配置されていると判定された前記資料番号の図形に該当する複数個の再生対象ファイルを一つずつ順番に再生し、前記グループ化を示す図形が同時系態様の場合は、配置されていると判定された資料番号の図形に該当する複数個の再生対象ファイルを同時に再生する
ことを特徴とするプログラム。
【発明の詳細な説明】
【技術分野】
【０００１】  本発明は、先生（以下、先生、講演者等を統一して先生と称する）が生徒（以下、生徒、受講者等を統一して生徒と称する）に本発明を利用して講演を行う場合、講演時までに先生の種々の日常活動やインターネット等を通じて蓄積してきた各種研究資料ファイルを利用して、先生の講演の意思が「思うように演出できる」ようにする先生支援プレゼンテーションシステムに関するものである。
【背景技術】
【０００２】  現在の技術では、先生が講演する場合の資料の編集及び表示・再生は、マイクロソフト（登録商標）のパワーポイント（登録商標）をはじめとする各種プレゼンテーションソフトウェアを用いて行われている（例えば、特許文献１を参照）。この種のソフトウェアによる資料の再生は、ＰＣを使って行われる場合が多い。或いは、オーバーヘッドプロジェクタ（ＯＨＰ）が利用される場合もある。このような、プレゼンテーションソフトウェアを用いた資料表示は、ある一定のルールに従ってスライド画面を一つ一つ前進させる、或いは、後退させる、といった単純な操作により行われるのが一般的である。
【先行技術文献】
【特許文献】
【０００３】
【特許文献１】特開平８−１７１５５０号
【発明の概要】
【発明が解決しようとする課題】
【０００４】  しかしながら、講演の内容によっては、同じ講演資料であっても、もっと短時間で効率的・有効に利用し、自由度の高い操作をしたい場合がある。【０００５】  本発明は、このような背景の下に案出されたものであり、先生が、自身の講演の思想（ストーリー）やディスプレイする表現を、思いのままに大胆かつ効率的に表現し、生徒に訴え理解される先生支援プレゼンテーションシステムを提供することを目的とする。
【課題を解決するための手段】
【０００６】  上記課題を解決するため、本発明は、プレゼンテーションする再生対象ファイルの各々を示す資料番号の図形、資料番号の図形間を繋ぐ矢印、及び前記再生対象ファイルのグループ化を示す図形で構成されるフロー図と、前記再生対象ファイルを示す手順一覧表とを含む編集画面を表示させる表示機能と、前記編集画面におけるフロー図を作成する編集機能と、前記編集機能で作成されたフロー図を、当たり判定を利用して編集した通りに再生対象ファイルを再生する再生機能とを具備し、ここにおいて、前記グループ化を示す図形には、グループ化された複数個の再生対象ファイルを一つずつ順番に再生する態様である単純系再生態様を示す図形と、同じく、グループ化された複数個の再生対象ファイルを同時に再生する態様である同時系態様を示す図形の二つがあり、前記再生機能は、前記グループ化を示す図形に資料番号の図形が配置されているか否かを当たり判定によって判定をし、前記グループ化を示す図形が単純系態様の場合は、配置されていると判定された前記資料番号の図形に該当する複数個の再生対象ファイルを一つずつ順番に再生し、前記グループ化を示す図形が同時系態様の場合は、配置されていると判定された資料番号の図形に該当する複数個の再生対象ファイルを同時に再生することを特徴とする先生支援プレゼンテーションシステムを提供する。
【発明の効果】
【０００７】  本発明では、再生機能は、フロー図内における一つ又は複数個の資料番号の図形が単純系態様を示す図形によりグループ化された場合、その資料番号の図形に該当する再生対象ファイルを一つずつ順番に再生し、また、フロー図内における複数個の資料番号の図形が同時系態様を示す図形によりグループ化された場合、その資料番号の図形に該当する再生対象ファイルの全てを同時に再生する。よって、本発明によると、講演する先生は、簡単な編集操作により、一つのディスプレイの表示画面で複数種類の画像を同時に見せられるようなプレゼンテーション資料を作ることができる。従って、先生が、自身の講演の思想（ストーリー）やディスプレイする表現を、思いのままに大胆かつ効率的に表現し、先生の考え（講演の思想）を生徒に説明することができる。
【図面の簡単な説明】
【０００８】
【図１】本発明の一実施形態である先生支援プレゼンテーションシステムの全体構成を示す図。
【図２】同プレゼンテーションシステムが表示する編集画面を示す図。編集画面は主に二つあり、一つはフロー図、もう一つは手順一覧表がここでから作られる。この図２は、以下の図３、４、５、６、８が密接に関係する。
【図３】画面操作ボタンを表示した図。図２の編集画面の上にオーバーラップして表示させる操作欄を示す図。
【図４】一般ファイルから手順一覧表の作成を説明する図。
【図５】「終了」の文字が表示された矩形の図形の移動方法を説明する図。
【図６】再生対象ファイル（講演会専用ファイル）をフロー図にドラッグアンドドロップする説明図。
【図７】フロー図における矢印の作成を示す図。
【図８】フロー図と手順一覧表の完成した図。
【図９】単純系態様の処理の内容を示す図。
【図１０】同時系態様の処理の内容を示す図。
【図１１】タイムスケールの動作の説明図。
【図１２】録音のタイムスケールの残量表示の説明図。
【図１３】フロー図の同時系態様或いは単純系態様の表示内容を示す図。
【発明を実施するための形態】
【０００９】  以下、図面を参照して、本発明の実施形態について説明する。
図１は、本発明の一実施形態である先生支援プレゼンテーションシステム１の全体構成を示す図である。図１に示すように、本システム１は、ディスプレイ８０又はプロジェクターと、スピーカ９０と、プレゼンテーション装置１０とを有する。本システム１におけるディスプレイ８０は、プレゼンテーション会場の壇上に設置される。スピーカ９０は、プレゼンテーション会場の壇上や壁面に設置される。
【００１０】  プレゼンテーション装置１０は、講演会場において講演を行う先生による資料の編集と発表を支援する役割を果たす装置である。先生は、講演日の前に、講演の進行に合わせて参照する文書画像ファイル、静止画像ファイル、動画像ファイル、及び音声ファイルを一つのデータに取り纏める作業を行う。
【００１１】  先生は、講演日の当日に、プレゼンテーション装置１０と講演の概要を記した冊子資料を会場に持参し、講演を受講する生徒に冊子資料を必要に応じて配布する。そして、先生は、一つのデータとして纏めておいた各種ファイルを生徒に視聴させながらプレゼンテーションを進める。
【００１２】  図１において、プレゼンテーション装置１０は、画像出力インターフェース１１、音声出力インターフェース１２、ＣＰＵ１３、ＲＡＭ１４、ＲＯＭ１５、ハードディスク１６、ＰＣ用ディスプレイ１７、マウス１８、キーボード１９、マイクロホン２０、スピーカ２１を有する。画像出力インターフェース１１は、ディスプレイ８０が接続された場合に、ディスプレイ８０又はプロジェクターに画像信号を出力する。音声出力インターフェース１２は、スピーカ９０が接続された場合に、スピーカ９０に音信号を出力する。ＣＰＵ１３は、ＲＯＭ１５やハードディスク１６に記憶された各種プログラムを実行する。ハードディスク１６には、一般ファイル１６ａ、講演会専用ファイル１６ｂ及びプレゼンテーションプログラムＰＲ  が格納されている。
【００１３】  ハードディスク１６内の一般ファイル１６ａは、先生が日常管理しているファイルであり、講演会専用ファイル１６ｂは、講演会専用ファイル１、講演会専用ファイル２、…というように講演会毎に管理された、講演会で再生する再生対象ファイル（講演会専用ファイル）である。プレゼンテーションプログラムＰＲは、次の三つの機能を有する。
ａ１．表示機能
これは、ハードディスク１６内のファイルの中からプレゼンテーションの再生対象として選択されたファイルである再生対象ファイルの各々を示す資料番号の図形Ｎ、資料番号の図形Ｎ間を繋ぐ矢印ＬＮ、及び再生対象ファイルのグループ化を示す２種類の丸い図形ＳＹ１、ＳＹ２を配置するフロー図４２と、上記の再生対象ファイルを示す手順一覧表４１とを含む編集画面（図２）をＰＣ用ディスプレイ１７に表示させる機能である。
ｂ１．編集機能
これは、編集画面におけるフロー図４２内で各資料番号の図形Ｎを矢印ＬＮで繋げ、或いは、単一丸の図形ＳＹ１又は二重丸の図形ＳＹ２に一つ又は複数個の資料番号の図形Ｎを配置し、再生対象ファイルの再生手順を示すフロー図を作成する機能である。
ｃ１．再生機能
これは、編集機能により作成したフロー図通りに、各再生対象ファイルを、当たり判定を利用して、フロー図で示される単純系態様或いは同時系態様で再生する機能である。
【００１４】  次に、本実施形態の動作について説明する。本実施形態の動作は、プレゼンテーションプログラムＰＲを起動すると開始される。プレゼンテーションプログラムＰＲを起動すると、ＣＰＵ１３は、編集画面をＰＣ用ディスプレイ１７に表示させる。図２は、編集画面を示す図である。編集画面の上部には、六つのボタン３１、３２、３３、３４、３５、３６とスケーラ３７が左右に並べて配置されている。ボタン３１内には、ファイルの画像が表示されている。ボタン３２内には、フロッピー（登録商標）ディスクの画像が表示されている。ボタン３３内には、右斜め上を向いた矢印の画像が表示されている。ボタン３４内には、矩形内に「Ａ」の文字を記した画像が表示されている。ボタン３５内には、マイクの画像が表示されている。ボタン３６内には、リストの画像が表示されている。スケーラ３７には、フロー図４２の後述のデフォルトの表示倍率である「１００％」が表示されている。先生がこの表示倍率を変更すると、ＣＰＵ１３は、フロー図４２上に表示される図形などを、変更された倍率の大きさに拡大又は縮小して表示させる。
【００１５】  編集画面におけるボタン３１、３２、３３、３４、３５、３６、及びスケーラ３７の下には、手順一覧表４１とフロー図４２がある。フロー図４２内の右端には、垂直スクロールバー４４がある。フロー図４２内の下端には、水平スクロールバー４５がある。手順一覧表４１の右端には、垂直スクロールバー９８がある。手順一覧表４１の下端には、水平スクロールバー９９がある。編集画面の右下隅には、図３で示す操作欄４３が手順一覧表４１の上にオーバーラップして表示される。操作欄４３内には、四つのボタン４６、４７、４８、４９及び音量ボリューム５０が表示されている。ボタン４６内には、「開始」の文字が表示されている。ボタン４７内には、「表示画面の切替」の文字が表示されている。ボタン４８内には、「一斉一時停止」の文字が表示されている。ボタン４９内には、「終了」の文字が表示されている。音量ボリューム５０は、再生対象ファイルが再生されているとき、先生が当該再生対象ファイルの音量を調整するために利用される。
【００１６】  ここで、編集画面における手順一覧表４１の表示／非表示を切り替えるためのボタン３６をマウス１８で左クリックして凹ませると、手順一覧表４１が消えて画面の全面にフロー図４２が表示される。但し、編集画面の右下隅には、操作欄４３が表示され続ける。再度、ボタン３６をマウス１８で左クリックして凹みをなくすと、手順一覧表４１が再び現れる。
【００１７】  図２のフロー図４２の左上隅には、「開始」及び「終了」の文字を囲んだ二つの矩形の図形ＭＫＳＴＲ及びＭＫＥＮＤが並べて表示されている。
【００１８】  フロー図４２内の左下には、単一丸の図形ＳＹ１と二重丸の図形ＳＹ２、及び楕円の円周上に三角印を重ねた図形ＳＹ３（以降、これを戻り図形ＳＹ３と呼ぶ）の三種類がある。二重丸の図形ＳＹ２は手順一覧表４１によって一部が隠れているため、フロー図４２の左側に二重丸の図形ＳＹ２の全体像を示した。これらの図形ＳＹ１、ＳＹ２、ＳＹ３はドラッグ操作を行うことにより、画面内の所望の位置に複製することができる。これらの図形ＳＹ１、ＳＹ２、ＳＹ３のうち単一丸の図形ＳＹ１は単純系態様のグループ化に、二重丸の図形ＳＹ２は同時系態様のグループ化に用いるものである。また、戻り図形ＳＹ３は、冊子資料の参照ページの戻りの指示を要する箇所の目印として用いるものである。これらの図形ＳＹ１、ＳＹ２、ＳＹ３の役割の詳細は、後述する。
【００１９】  図２において、手順一覧表４１には、各々が一つの再生対象ファイルと対応する複数個のリスト欄ＬＳ−ｉ（ｉ＝０、１、２…）が表示されている。リスト欄ＬＳ−ｉは以下の六種類の項目からなる。
ａ２．手順番号
この項目は、フロー図４２で示される該当の再生対象ファイルの再生順を「ｆ」の文字と再生順の番号とを合わせたものを示す。該当の再生対象ファイルが再生中の際には、この項目の左側を赤で点滅させる。
ｂ２．名称
この項目は、該当の再生対象ファイルのファイル名を示す。
ｃ２．表示ページ
この項目は、該当の再生対象ファイルの表示内容と対応する冊子資料のページ番号を示す。
ｄ２．単純表示時間
この項目は、該当の再生対象ファイルの単純系態様のときの表示時間を示す。
ｅ２．同時表示時間
この項目は、該当の再生対象ファイルの同時系態様のときの表示時間を示す。
ｆ２．表示状態（表示／停止）
この項目は、該当の再生対象ファイルが再生されているとき、表示中（再生が進んでいることを示す）の場合か停止中（ポーズされていることを示す）の何れかの状態であるかを示す。
【００２０】  この編集画面において、先生は、手順一覧表作成操作、フロー図作成操作、録音操作、保存操作、再生開始操作、スキップ再生操作、割り込み再生操作、単純／同時切り替え操作、音声切り替え操作、一斉一時停止／一斉再開操作、画面切り替え操作、終了操作を行うことができる。各操作の内容は次の通りである。
【００２１】ａ３．手順一覧表作成操作
この操作では、先生は、図４に示すように、手順一覧表４１及びフロー図４２上にファイル管理ソフトのウィンドウＷＤを出現させ、このウィンドウＷＤ内の先生が日常的に管理している一般ファイル１６ａが格納されたフォルダ内の所望のファイルを手順一覧表４１にドラッグアンドドロップし、講演会専用ファイル１６ｂとしてリストアップする操作を行う。なお、図４並びに後述する図５、６、７のマウス１８は、図１のマウス１８と同一の機能を有している。
【００２２】  この操作が行われると、ＣＰＵ１３は、次の処理を行う。まず、ＣＰＵ１３は、ドラッグアンドドロップにより選択されたファイルが当該プレゼンテーション装置１０内のアプリケーションによる再生可能な形式のファイル（具体的には、ｆｌｖ、ｗｍｖ、ｂｍｐ、ｐｄｆ、ｊｐｇ、ｇｉｆ、ｈｔｍｌ等の所定の拡張子を持ったファイル）であるか否かを判定する。ＣＰＵ１３は、選択されたファイルが再生可能な形式のファイルである場合は、選択されたファイルの複製を生成し、この複製を講演会専用ファイル１６ｂとしてハードディスク１６内の該当の講演会専用のフォルダに格納する。ＣＰＵ１３は、選択されたファイルが再生可能な形式のファイルでないが一般的な形式のファイルの場合は、このファイルを再生可能な形式のファイルに変換し、この変換したファイルを講演会専用ファイル１６ｂとしてハードディスク１６内の該当の講演会専用のフォルダに格納する。
【００２３】  その上で、ＣＰＵ１３は、手順一覧表４１の「名称」の項目に該当の再生対象ファイルのファイル名を追加し、「表示ページ」の項目を空欄とし、「単純表示時間」の項目を「０：００」とし、「同時表示時間」の項目を「０：００」として表示する。また、各リスト欄ＬＳ−ｉ（ｉ＝０、１、２…）の「手順番号」の項目で示す該当の再生対象ファイルの再生順番号を昇順に振り直す。先生は、以上の操作を繰り返すことにより、講演において生徒に視聴させるファイルをリストアップする。
【００２４】  また、先生は、手順一覧表４１の「表示ページ」の項目を左クリックすることによりその項目を入力可能状態にし、当該項目内に冊子資料のページ番号を入力する。文書形式によっては、ページ番号を明確にすることが難しいものがあり、工夫を要する。
【００２５】  また、先生は、手順一覧表４１の「単純表示時間」の項目を左クリックすることによりその項目を入力可能状態にし、単純系態様時の表示時間を変更する。ＣＰＵ１３は、この操作が行われると、該当の再生対象ファイルの単純表示時間ＤＴＬＧＴＨを変更された時間に書き換える。
【００２６】  また、先生は、手順一覧表４１の「同時表示時間」の項目を左クリックすることによりその項目を入力可能状態にし、同時系態様時の表示時間を変更する。ＣＰＵ１３は、この操作が行われると、該当の再生対象ファイルの同時表示時間ＤＴ’ＬＧＴＨを変更された時間に書き換える。
【００２７】ｂ３．フロー図作成操作
この操作では、図５に示すように、先生は、フロー図４２の「終了」の文字が表示された矩形の図形ＭＫＥＮＤをドラッグすることにより、フロー図４２のＭＫＳＴＲとＭＫＥＮＤの間の左右方向の間隔を広げる。その上で、図６に示すように、先生は、所望のリスト欄ＬＳ−ｉ（図６の例では、リスト欄ＬＳ−１）をＭＫＳＴＲとＭＫＥＮＤの間にドラッグアンドドロップする。
【００２８】  ＣＰＵ１３は、手順一覧表４１のリスト欄ＬＳ−ｉ上でマウス１８の左ボタンが押下されたとき、マウスポインタＰの位置に、当該リスト欄ＬＳ−ｉ（図６の例では、リスト欄ＬＳ−１）の「手順番号」と同じ番号（図６の例では「ｆ１」である。ＬＳ−ｉの順序通りの番号では、ＬＳ−１である。）の資料番号の図形Ｎを出現させ、マウスポインタＰの動きに合わせてそれを追随させ、マウス１８の左ボタンが解除された位置にそれを配置する。
【００２９】  先生は、フロー図４２内に少なくとも一個以上の資料番号の図形Ｎを配置した後、矢印ＬＮをフロー図４２に出現させるためのボタン３３をマウス１８で左クリックして凹ませる。その上で、先生は、図７（Ａ）に示すように、フロー図４２内の矩形の図形ＭＫＳＴＲ又はＭＫＥＮＤと資料番号の図形Ｎの間を、或いは、二つの資料番号の図形Ｎの間を、マウス１８の左ボタンを押下したままマウスポインタＰを移動させる（図７（Ａ）では、「開始」の文字が表示された矩形の図形ＭＫＳＴＲから「ｆ１」の資料番号の図形Ｎの間を及び、「ｆ１」の資料番号の図形Ｎから「ｆ２」の資料番号の図形Ｎの間を、マウス１８の左ボタンを押下したままマウスポインタＰを移動させる例を示している）。
【００３０】  図７（Ｂ）に示すように、ＣＰＵ１３は、上記のマウス１８の左ボタンを押下したままマウスポインタＰを移動させる操作が行われると、右側に矢印を向けて二つの矩形の図形或いは資料番号の図形Ｎを結ぶ矢印ＬＮを出現させる（図７（Ｂ）では、「開始」の文字が表示された矩形の図形ＭＫＳＴＲと「ｆ１」の資料番号の図形Ｎとを結ぶ矢印ＬＮを出現させる例、及び、「ｆ１」と「ｆ２」の資料番号の図形Ｎを結ぶ矢印ＬＮを出現させる例を示している）。そして、矢印ＬＮで結ばれた資料番号の図形Ｎの下に、当該資料番号の図形Ｎに該当する再生対象ファイルの単純表示時間ＤＴＬＧＴＨを示すタイムスケールＳＣを出現させる。そして、再生開始操作が行われた場合、ＣＰＵ１３は、フロー図４２内の資料番号の図形Ｎが矢印ＬＮと接触しているか否かを当たり判定によって判定をし、この判定結果に応じた態様で矢印ＬＮにより繋がれた資料番号の図形Ｎに該当する再生対象ファイルを再生する。当たり判定の詳細は、後述する。
【００３１】  また、先生は、複数の再生対象ファイルをグループ化してそれらを一つずつ順番に再生させたい場合は、フロー図４２の左下の単一丸の図形ＳＹ１をドラッグし、所望の位置に単一丸の図形ＳＹ１の複製を出現させる。その上で、図８に示すように、所望の１又は複数個の再生対象ファイルの資料番号の図形Ｎ（図８の例では、「ｆ２」「ｆ３」「ｆ４」「ｆ５」「ｆ６」の資料番号の図形Ｎ）を複製した図形ＳＹ１上に乗せその図形ＳＹ１上の資料番号の図形Ｎの何れかとそれ以外の矩形の図形或いは資料番号の図形Ｎ（図８の例では、「ｆ１」と「ｆ２」の資料番号の図形Ｎ）とを矢印ＬＮにより繋ぎ、グループ化された単純系態様のフロー図を作成する。ＣＰＵ１３は、このような操作が行われると、単一丸の図形ＳＹ１上に乗せた全ての資料番号の図形Ｎに該当する再生対象ファイルの単純表示時間ＤＴＬＧＴＨの合計を示すタイムスケールＳＣを出現させる。タイムスケールＳＣは、表示時間が一分を超える場合は二段にして表示させる。一段目は一分までを十秒単位の目盛りで区切って表示させ、に段目は一分単位の目盛りで区切って表示させる。そして、再生開始操作が行われた場合、ＣＰＵ１３は、フロー図４２内の資料番号の図形Ｎが図形ＳＹ１と接触しているか否かを当たり判定によって判定をし、この判定結果に応じた態様で図形ＳＹ１上の資料番号の図形Ｎに該当する再生対象ファイルを再生する。
【００３２】  また、先生は、複数の再生対象ファイルをグループ化してそれらを同時に再生させたい場合は、フロー図４２の左下の二重丸の図形ＳＹ２をドラッグし、所望の位置に図形ＳＹ２の複製を出現させる。その上で、図８に示すように、所望の複数個の再生対象ファイルの資料番号の図形Ｎ（図８の例では、「ｆ８」「ｆ９」「ｆ１０」「ｆ１１」の資料番号の図形Ｎ、又は、「ｆ１３」「ｆ１４」の資料番号の図形Ｎ、或いは、「ｆ１５」「ｆ１６」「ｆ１７」「ｆ１８」の資料番号の図形Ｎ）を複製の図形ＳＹ２上に乗せ、その図形ＳＹ２上の資料番号の図形Ｎの何れかとそれ以外の矩形の図形或いは資料番号の図形Ｎ（図８の例では、「ｆ７」と「ｆ８」の資料番号の図形Ｎ、又は、「ｆ１２」と「ｆ１３」の資料番号の図形Ｎ、或いは、「ｆ１４」と「ｆ１５」の資料番号の図形Ｎ）を矢印ＬＮにより繋ぎ、同時系態様のフロー図を作成する。ＣＰＵ１３は、このような操作が行われると、図形ＳＹ２上に乗せた資料番号の図形Ｎに該当する再生対象ファイルのうちの一番長い同時表示時間ＤＴ’ＬＧＴＨを示すタイムスケールＳＣを出現させる。そして、再生開始操作が行われた場合、ＣＰＵ１３は、フロー図４２内の資料番号の図形Ｎが図形ＳＹ２と接触しているか否かを当たり判定によって判定をし、この判定結果に応じた態様で図形ＳＹ２上の資料番号の図形Ｎに該当する再生対象ファイルを再生する。
【００３３】  また、先生は、再生内容を前の方に戻して説明したい場合（これをここでは戻り系と呼ぶ）がある。その場合は、戻り図形ＳＹ３を該当（図８の「ｆ５」）の資料番号の図形Ｎの近傍にドラッグする。ＣＰＵ１３は、この操作が行われると、マウス１８の左ボタンが解除された位置に戻り図形ＳＹ３の複製を出現させる。
【００３４】  また、先生は、矩形の図形ＢＸを出現させるためのボタン３４をマウス１８で左クリックして凹ませる。その上で、先生は、フロー図４２内の所望の位置でマウス１８の左ボタンを押下したままマウスポインタＰを移動させる操作を行う。
【００３５】  ＣＰＵ１３は、この操作が行われると、マウス１８によって、図形の頂点を指して  伸縮自在の機能を持つ矩形の図形ＢＸを出現させる（マイクロソフトオフィスの描画機能では、オートシェープと呼んでいる）。先生は、適切な大きさに設定し、その矩形の内部に説明文章を記入し、フロー図の働きが理解できるようにする。
【００３６】ｃ３．録音操作
この操作では、先生は、マイクロホン２０から音声を入力させるためのボタン３５をマウス１８で左クリックして凹ませる。その上で、先生は、フロー図４２の中から音声を関連付けたい再生対象ファイルの資料番号の図形Ｎ、或いは、音声を関連付けたい同時系態様が示された二重丸の図形ＳＹ２上の資料番号の図形Ｎ（図８を例にすると、例えば「ｆ８」の資料番号の図形Ｎ）を指し示す矢印ＬＮをマウス１８の左ボタンでダブルクリックし、再生対象ファイルの再生に合わせて録音を行う。再度ボタン３５をマウス１８で左クリックして凹みをなくすか、資料番号の図形Ｎをダブルクリックした場合は表示時間が当該資料番号の図形Ｎに該当する再生対象ファイルの単純表示時間ＤＴＬＧＴＨに達するまで、矢印ＬＮをダブルクリックした場合は、表示時間が当該二重丸の図形ＳＹ２（例えば、「ｆ８」の資料番号の図形Ｎが配置される図形ＳＹ２）上の資料番号の図形Ｎに該当する再生対象ファイルのうちの一番長い同時表示時間ＤＴ’ＬＧＴＨに達するまで、録音を続ける。
【００３７】  ＣＰＵ１３は、この操作が行われると、マイクロホン２０から入力される音声を収録した音声データファイルを生成し、この音声データファイルを、資料番号の図形Ｎがダブルクリックされた場合には、当該資料番号の図形Ｎに該当する再生対象ファイルと関係付け、或いは、矢印ＬＮがダブルクリックされた場合には上記二重丸の図形ＳＹ２上の全ての資料番号の図形Ｎに該当する再生対象ファイルと関係付ける。音声データファイルを再生対象ファイルに関係付けた後、ＣＰＵ１３は、ダブルクリックされた資料番号の図形Ｎ或いは矢印ＬＮの近辺に、図８に示すようなスピーカーＳＰＫを表示させる。
【００３８】ｄ３．保存操作
この操作では、先生は、ボタン３２を左クリックする。この操作が行われると、ＣＰＵ１３は、フロー図４２内に配置された二つの矩形の図形ＭＫＳＴＲ及びＭＫＥＮＤ、資料番号の図形Ｎ、矢印ＬＮ、単一丸の図形ＳＹ１、二重丸の図形ＳＹ２、戻り系図形ＳＹ３、矩形の図形ＢＸ及びＢＸ内に入力されたコメントと、手順一覧表４１内の「名称」の項目で示される再生対象ファイルのファイル名、「表示ページ」の項目で示されるページ番号、「単純表示時間」の項目で示される該当の再生対象ファイルの単純表示時間ＤＴＬＧＴＨ「同時表示時間」の項目で示される該当の再生対象ファイルの同時表示時間ＤＴ’ＬＧＴＨ、該当の再生対象ファイルと関係付けた音声データファイルのファイル名を、講演会専用ファイル１６ｂとしてハードディスク１６内の指定されたフォルダに保存し、かつ、指定されたフォルダの中に講演会専用ファイル１６Ｂのファイル名と同名のフォルダーを作成し、そのフォルダに再生対象ファイルを格納し、講演会毎の講演会専用ファイル１６ｂのデータベースを作成する。
【００３９】ｅ３．再生開始操作
この操作では、先生は、ボタン４６を左クリックするか、「開始」の文字が表示された矩形の図形ＭＫＳＴＲをマウス１８の左ボタンでダブルクリックする。この操作が行われると、ＣＰＵ１３は、図８に示すように、フロー図４２における資料番号の図形Ｎ又は単一丸の図形ＳＹ１或いは二重丸の図形ＳＹ２の下のタイムスケールＳＣについて、該当の再生対象ファイルの再生中はその再生対象ファイルの再生すべき時間の長さに切り替えるとともに、ボタン４６の文字を「一斉再開」に切り替え、再生処理を行う。再生処理では、ＣＰＵ１３は、フロー図４２内の矩形の図形或いは資料番号の図形Ｎが矢印ＬＮの左端と接触しているか否かの当たり判定を行う。次に、矢印ＬＮの右端と矩形の図形或いは資料番号の図形Ｎが抵触しているか否かの当たり判定を行う。ＣＰＵ１３は、この当たり判定において、フロー図４２内の矩形の図形或いは資料番号の図形Ｎが矢印ＬＮの右端と接触していると判定した場合、それが矢印ＬＮに繋がれているとみなす。接触していると判定した図形が資料番号の図形Ｎの場合、図９に示すように、当該資料番号の図形Ｎに該当する再生対象ファイルの先頭を再生開始点ｔＳＴＲとし、再生開始点ｔＳＴＲから単純表示時間ＤＴＬＧＴＨが示す時間だけ後の時刻を再生終了点ｔＥＮＤとする。動画の場合、通常、再生終了点ｔＥＮＤ、及び、後述のｔ’ＥＮＤからさらに再生できる映像の時間を持っているのが一般的である。
【００４０】  また、ＣＰＵ１３は、フロー図４２内の資料番号の図形Ｎが単一丸の図形ＳＹ１と接触しているか否かの当たり判定処理を行う。ＣＰＵ１３は、この当たり判定において、フロー図４２内の１又は複数個の資料番号の図形Ｎが単一丸の図形ＳＹ１と接触していると判定した場合、その資料番号の図形Ｎが単一丸の図形ＳＹ１に配置されているとみなし、図９に示すように、単一丸の図形ＳＹ１上の資料番号の図形Ｎに該当する再生対象ファイルの各々について、当該再生対象ファイルの先頭を再生開始点ｔＳＴＲとし、再生開始点ｔＳＴＲから単純表示時間ＤＴＬＧＴＨが示す時間だけ後の時刻を再生終了点ｔＥＮＤとする。
【００４１】  その上で、ＣＰＵ１３は、一番目の資料番号の図形Ｎに該当する再生対象ファイルの再生開始点ｔＳＴＲから再生終了点ｔＥＮＤまでを再生し、一番目の再生対象ファイルの再生開始点ｔＳＴＲから単純表示時間ＤＴＬＧＴＨが経過した時に二番目の再生対象ファイルの再生開始点ｔＳＴＲから再生終了点ｔＥＮＤまでを再生し、二番目の再生対象ファイルの再生開始点ｔＳＴＲから単純表示時間ＤＴＬＧＴＨが経過した時に三番目の再生対象ファイルの再生開始点ｔＳＴＲから再生終了点ｔＥＮＤまでを再生し…といった図９に示すように単純系態様のシーケンス処理を行う。ＣＰＵ１３が、一は複数個の資料番号の図形Ｎが単一丸の図形ＳＹ１に配置されている場合は、ここでは矢印ＬＮが指し示す資料番号の図形Ｎから時計回りの順でこのシーケンス処理を行うルールとしている。このシーケンス処理のファイル再生によってディスプレイ８０に出力された画像信号はディスプレイ８０に画像として表示され、スピーカ９０に出力された音信号はスピーカ９０から放音される。
【００４２】  また、ＣＰＵ１３は、フロー図４２内の資料番号の図形Ｎが二重丸の図形ＳＹ２と接触しているか否かの当たり判定処理を行う。ＣＰＵ１３は、この当たり判定において、フロー図４２内の一又は複数個の資料番号の図形Ｎが二重丸の図形ＳＹ２と接触している定した場合、その資料番号の図形Ｎが二重丸の図形ＳＹ２に配置されているとみなし、図１０に示すように、二重丸の図形ＳＹ２上の資料番号の図形Ｎに該当する再生対象ファイルの各々について、当該再生対象ファイルの先頭を再生開始点ｔＳＴＲとし、再生開始点ｔＳＴＲから同時表示時間ＤＴ’ＬＧＴＨが示す時間だけ後の時刻を再生終了点ｔ’ＥＮＤとする。
【００４３】  その上で、ＣＰＵ１３は、図１０に示すように二重丸の図形ＳＹ２上の全ての資料番号の図形Ｎに該当する再生対象ファイルを同時に再生開始点ｔＳＴＲから再生終了点ｔ’ＥＮＤまで再生し、各再生対象ファイルがディスプレイ８０に収まるよう均等にサイズを調整した画像信号をディスプレイ８０に出力し、同時系態様の再生を行う。
【００４４】  また、ＣＰＵ１３は、このシーケンス処理と合わせて、フロー図４２における再生中の再生対象ファイルの資料番号の図形Ｎを赤で点滅させるとともに、再生中の再生対象ファイルに音声データファイルが関係付けられている場合は、さらに音声の「ＯＮ」および「ＯＦＦ」の切り替えを指示する各種ボタンをフロー図４２内に表示させる処理を行う。
【００４５】  より具体的に説明すると、ＣＰＵ１３は、図１１に示すように、再生中の再生対象ファイルに、ｃ３の録音操作によって収音された音声データファイルが関連付けられていない場合、該当の再生対象ファイルを再生している間、タイムスケールＳＣ内の左端から右端に向かって再生対象ファイルの表示時間に応じた長さの青色のバーＢＡＲＢＬを延伸させる。その際、タイムスケールＳＣの左側には、音声の「ＯＮ」及び「ＯＦＦ」の切り替えを指示する各種ボタンは表示させない。
【００４６】  また、ＣＰＵ１３は、図１２（Ａ）に示すように、再生中の再生対象ファイルに、ｃ３の録音操作によって収音された音声データファイルが関連付けられている場合、該当の再生対象ファイルを再生している間、タイムスケールＳＣ内の左端から右端に向かって再生対象ファイルの表示時間に応じた長さの橙色のバーＢＡＲＯＲを延伸させる。その際は、タイムスケールＳＣの左側に、音声の「ＯＮ」及び「ＯＦＦ」の切り替えを指示するボタン６１及び６２を表示させる。なお、ｃ３の録音操作で録音を続けている間も、ＣＰＵ１３は、タイムスケールＳＣと、ボタン６１及び６２を、上記と同様の表示のさせ方を行う。そして、図１２（Ｂ）に示すように、音声データファイルの再生を終えた時点でバーＢＡＲＯＲの延伸を止め、それ以降は再生対象ファイルの表示時間に合わせて右端に向かって青色のバーＢＡＲＢＬを延伸させる。その際は、音声の「ＯＮ」及び「ＯＦＦ」の切り替えを指示するボタン６１及び６２も、フロー図４２上に表示させなくする。
【００４７】  また、ＣＰＵ１３は、再生対象ファイルを再生している間は、近傍に一頂点を右に向けた正三角の画像（再生を示す画像）のボタン６３及び平行な縦線二本の画像（一時停止を示す画像）のボタン６４を表示させる。また、ＣＰＵ１３は、ボタン６４を左クリックする操作が行われた場合、再生対象ファイルの再生を停止し、ボタン６３を左クリックする操作が行われた場合、再生を再開する。
【００４８】ｆ３．スキップ再生操作
この操作では、先生は、再生対象ファイルの再生中に、フロー図４２における所望の矢印ＬＮを左ボタンでダブルクリックする。この操作が行われると、ＣＰＵ１３は、その時点における再生中の再生対象ファイルの再生を停止し、ダブルクリックにより選択された矢印ＬＮの先の資料番号の図形Ｎに該当する再生対象ファイルから当たり判定を行って再生する。
【００４９】ｇ３．割り込み再生操作
この操作では、先生は、再生対象ファイルの再生中に、フロー図４２における所望の資料番号の図形Ｎをマウス１８の左ボタンでダブルクリックする。この操作が行われると、ＣＰＵ１３は、再生対象ファイルの再生を一旦停止する。その上で、ＣＰＵ１３は、ダブルクリックにより選択された資料番号の図形Ｎに該当する再生対象ファイルを再生し、当該再生対象ファイルの再生を終えた後に、停止していた再生対象ファイルを再開する。
【００５０】ｈ３．単純／同時切り替え操作
二重丸の図形ＳＹ２によりグループ化された複数個の再生対象ファイルの再生中に、ＣＰＵ１３は、図１３（Ａ）に示すように、二重丸の図形ＳＹ２の右隣りに「単純」及び「同時」の文字が表示されたボタン６５及び６６を表示させる。先生は、そのボタン６５を左クリックすると、ＣＰＵ１３は、再生態様を同時系態様から単純系態様に切り替える。単純系態様に切り替わった後、先生がボタン６６を左クリックすると、ＣＰＵ１３は、再生態様も同時系態様に戻す。或いは、単一丸の図形ＳＹ１によりグループ化された複数個の再生対象ファイルの再生中に、ＣＰＵ１３は、図１３（Ｂ）に示すように、単一丸の図形ＳＹ１の右隣りに、上記と同様にボタン６５及び６６を表示させる。先生は、そのボタン６６を左クリックすると、ＣＰＵ１３は、再生態様を単純系態様から同時系態様に切り替える。同時系態様に切り替わった後、先生がボタン６５を左クリックすると、ＣＰＵ１３は、再生態様も単純系態様に戻す。
【００５１】ｉ３．音声切り替え操作
録音した音声が流されている間、ＣＰＵ１３は、タイムスケールＳＣの左側に、再生対象ファイルと関係付けられた音声データファイルを「ＯＮ」及び「ＯＦＦ」するボタン６１及び６２（図１２（Ａ））を表示させる。先生が「ＯＦＦ」の文字が表示されたボタン６２を左クリックすると、ＣＰＵ１３は、音声データファイルの再生音の音信号のスピーカ９０への供給を停止し、先生が「ＯＮ」の文字が表示されたボタン６１を左クリックすると、ＣＰＵ１３は音信号のスピーカ９０への供給を再開する。なお、ｃ３の録音操作で録音を続けている間も、ＣＰＵ１３は、ボタン６１及び６２を表示させるが、先生が「ＯＦＦ」の文字が表示されたボタン６２を左クリックすると、ＣＰＵ１３は、マイクロホン２０からの音声の入力を停止し、先生が「ＯＮ」の文字が表示されたボタン６１を左クリックすると、ＣＰＵ１３はマイクロホン２０からの音声の入力を再開する。
【００５２】ｊ３．一斉一時停止／一斉再開操作
この操作では、先生は、「一斉一時停止」の文字が表示されたボタン４８を左クリックする。ＣＰＵ１３は、ボタン４８が選択されると、再生対象ファイルの再生を停止し、ｅ３の再生開始操作によってボタン名が「一斉再開」に切り替わったボタン４６が選択されると、再開する。
【００５３】ｋ３．画面切り替え操作
この操作では、先生は、「表示画面の切替」の文字が表示されたボタン４７を左クリックする。ＣＰＵ１３は、ボタン４７が選択されると、再生対象ファイルの再生をＰＣ用ディスプレイ１７に移し、再度選択されると、再生対象ファイルの再生はディスプレイ８０に戻し、編集画面をＰＣ用ディスプレイ１７に再表示させる。
【００５４】ｌ３．終了操作
この操作では、先生は、「終了」の文字が表示されたボタン４９を左クリックするか、「終了」の文字が表示された矩形の図形ＭＫＥＮＤを左ボタンでダブルクリックする。ＣＰＵ１３は、この操作が行われると、再生を終了し、ｅ３の再生開始操作によって切り替わったボタン４６の文字を「開始」に戻す。
【００５５】  以上が、本実施形態の構成の詳細である。本実施形態によると、次の効果が得られる。
第一に、本実施形態では、ＣＰＵ１３は、フロー図４２内における複数個の再生対象ファイルの資料番号の図形Ｎが単一丸の図形ＳＹ１によりグループ化された場合、それらの複数個の再生対象ファイルを一つずつ順番に再生し、フロー図４２内における複数個の再生対象ファイルの資料番号の図形Ｎが二重丸の図形ＳＹ２によりグループ化された場合、それらの複数個の再生対象ファイルを同時に再生する。よって、本実施形態によると、先生は、簡単な編集操作により、一つのディスプレイ８０の表示画面で複数種類の画像を一つ一つ順番に見せたり同時に見せたりできるようなプレゼンテーション資料を作ることができる。従って、先生が、自身の講演の思想（ストーリー）やディスプレイする表現を、思いのままに大胆かつ効率的に表現し、生徒に訴えることができる。
【００５６】  第二に、本実施形態では、ＣＰＵ１３は、複数個の再生対象ファイルの資料番号の図形Ｎが単一丸の図形ＳＹ１によりグループ化されずに矢印ＬＮにより繋がれている場合も、それらの複数個の再生対象ファイルを単純系態様で一つずつ順番に再生する。よって、本実施形態によると、先生は、複数個の再生対象ファイルを一つずつ順番に再生されるような資料番号の図形Ｎの配置を単一丸の図形ＳＹ１を用いずに作ることができる。従って、先生における講演のストーリーの作成をより一層効率的に行うことができる。
【００５７】  第三に、本実施形態では二重丸の図形ＳＹ２によりグループ化された複数個の再生対象ファイルの再生中に、先生が同時系態様から単純系態様への切替ボタン６５を左クリックした場合に、ＣＰＵ１３は、再生態様を同時系態様から単純系態様に切り替えたり、先生が単純系態様から同時系態様への切替ボタン６６を左クリックした場合には、元に戻したりできるようになっている。或いは、単一丸の図形ＳＹ１によりグループ化された複数個の再生対象ファイルの再生中に、先生がボタン６６を左クリックした場合に、ＣＰＵ１３は、再生態様を単純系態様から同時系態様に切り替えたり、先生がボタン６５を左クリックした場合には、元に戻したりできるようになっている。よって、本実施形態によると、先生は、複数種類の画像を同時に再生する予定のものを一つ一つ順番に再生したり（同時系態様から単純系態様の再生へ）、もともと一つ一つ順番に再生する予定の複数種類の画像を同時に再生することにより（単純系態様から同時系態様の再生へ）、復習効果がもたらされる。
【００５８】  第四に、本実施形態では、ＣＰＵ１３は、再生対象ファイルの再生中に、フロー図４２内の矢印ＬＮを選択する操作が行われた場合に、その時点における再生中の再生対象ファイルの再生を停止し、選択された矢印ＬＮの先の資料番号の図形Ｎに該当する再生対象ファイルから当たり判定を利用して再生する。よって、本実施形態によると、先生は、既に説明した事項に戻ってそこから説明をやり直したい場合や、当初説明する予定であった事項を飛ばしたい場合に、簡単な操作により該当の画像をディスプレイ８０に映すことができる。
【００５９】  第五に、本実施形態では、ＣＰＵ１３は、再生対象ファイルの再生中に、フロー図４２内の資料番号の図形Ｎを選択する操作が行われた場合に、再生対象ファイルの再生を一旦停止し、選択された資料番号の図形Ｎに該当する再生対象ファイルを再生し、当該再生対象ファイルの再生を終えた後に、停止していた再生対象ファイルを再開する。よって、本実施形態によると、先生は、プレゼンテーションの途中で既に説明した事項や後で説明する事項に簡単に触れたい場合に、簡単な操作により該当の画像をディスプレイ８０に映すことができる。
【００６０】  以上、本発明の一実施形態について説明したが、かかる実施形態に以下の変形（１）〜（６）を加えてもよい。
【００６１】（１）上記実施形態では、再生順が左から右になるようフロー図４２内の資料番号の図形Ｎを配置する説明をした。しかし、再生順が右から左になるよう資料番号の図形Ｎを配置してもよいし、上から下、下から上でもよい。これらは、図形Ｎの配置と矢印ＬＮの組合せで行うことが出来る。
【００６２】（２）上記実施形態では、プレゼンテーション装置１０の出力画像はディスプレイ８０に表示される説明をした。しかし、ディスプレイ８０の代わりにプロジェクターを用いるようにしてもよい。
【００６３】（３）上記実施形態では、編集画面におけるボタン３６を左クリックして凹ませると、手順一覧表４１が消えて画面の全面にフロー図４２が表示される説明をした。しかし、このボタン３６のほかに、フロー図４２を消して画面の全面に単独で手順一覧表４１を表示させるためのボタンを設けてもよい。
【００６４】（４）上記実施形態では、当たり判定においてフロー図４２内における資料番号の図形Ｎが矢印ＬＮの左端或いは右端と接触していると判定した場合に、当該資料番号の図形Ｎに該当する再生対象ファイルを再生する説明をした。しかし、それでは、先生がフロー図を作成する際に、矢印ＬＮの左端或いは右端と資料番号の図形Ｎとを接触させなくてはいけない。実験によると、資料番号の図形Ｎの枠の外側に、２ミリメートル（プログラムで扱うピクセル数としては８ピクセル）程度の当たり判定範囲の許容差を設けると、先生がマウス１８で操作するとき、図形作成の操作が容易になった。これにより、上記の許容差は、２ミリメートル程度が適切であると考える。
【００６５】（５）上記実施形態において、フロー図４２上の資料番号の図形Ｎの下に再生対象ファイルのサムネイル画像を出現させるようにしてもよい。
【００６６】（６）上記実施形態において、割り込み再生操作を説明した。しかし、先生は、割り込み再生をキャンセルし、停止していた再生対象ファイルの再生を再開したい場合もある。この場合は、フロー図４２内に割り込み再生をキャンセルするボタンを設けてもよい。また、先生は、選択した複数個の再生対象ファイルを単純系態様或いは同時系態様で割り込み再生したい場合もある。この場合は、フロー図４２内に選択した複数個の再生対象ファイルを単純系態様或いは同時系態様で再生させるボタンを設けてもよい。
【符号の説明】
【００６７】１…先生支援プレゼンテーションシステム、１０…プレゼンテーション装置、１１…画像出力インターフェース１１、１２…音声出力インターフェース、１３…ＣＰＵ、１４…ＲＡＭ、１５…ＲＯＭ、１６…ハードディスク、１７…ＰＣ用ディスプレイ、１８…マウス、１９…キーボード、２０…マイクロホン、２１…スピーカ。
【図１】
2015049885.tif 000003
【図２】
2015049885.tif 000004
【図３】
2015049885.tif 000005
【図４】
2015049885.tif 000006
【図５】
2015049885.tif 000007
【図６】
2015049885.tif 000008
【図７】
2015049885.tif 000009
【図８】
2015049885.tif 000010
【図９】
2015049885.tif 000011
【図１０】
2015049885.tif 000012
【図１１】
2015049885.tif 000013
【図１２】
2015049885.tif 000014
【図１３】
2015049885.tif 000015